(57)【特許請求の範囲】
【請求項１】
複数の露光装置を第１の列および第２の列と交互に配置することで広幅露光を行う画像形成装置において、
前記第１の列に配置された露光装置の主走査方向の調整を行う第１の偏心ピンと、
前記第１の列に配置された露光装置の副走査方向の移動を規制する第１のガイドピンと、
前記第２の列に配置された露光装置の副走査方向の調整を行う第２の偏心ピンと、
前記第２の列に配置された露光装置の主走査方向の移動を規制する第２のガイドピンと
を具備することを特徴とする画像形成装置。
【請求項２】
前記第２の列に配置された露光装置の前記主走査方向における両端部に前記第２の偏心ピンを設ける
ことを特徴とする請求項１記載の画像形成装置。
【請求項３】
前記第２の列に配置された露光装置の前記主走査方向における一方の端部に前記第２の偏心ピンを設け、
前記端部の反対側の端部を固定する
ことを特徴とする請求項１記載の画像形成装置。
【発明の詳細な説明】
【０００１】
【発明の属する技術分野】
本発明は、画像形成装置に関し、特に、複数のＬＥＤヘッドを配列して広幅露光を行うことにより感光体に静電潜像を形成する画像形成装置に関する。
【０００２】
【従来の技術】
従来、広幅な原稿に対応する静電潜像を感光体に形成するために、複数のＬＥＤヘッドを配列して広幅露光を行う画像形成装置が知られている。
【０００３】
図８は、従来の３本のＡ３サイズ用ＬＥＤヘッドの取付構造の概略図である。
【０００４】
図８に示すように、各ＬＥＤヘッドをそれぞれ第１のＬＥＤヘッド１ａ、第２のＬＥＤヘッド１ｂおよび第３のＬＥＤヘッド１ｃとし、３本のＬＥＤヘッドを図８に示すように配列することで、Ａ０幅の露光を可能にしている。
【０００５】
ここで、第２のＬＥＤヘッド１ｂは、第１のＬＥＤヘッド１ａおよび第３のＬＥＤヘッド１ｃから副走査方向にずれて配置されるので、この第１のＬＥＤヘッド１ａおよび第３のＬＥＤヘッド１ｃに対する第２のＬＥＤヘッド１ｂのずれを予め考慮した画像データ処理によって、この第２のＬＥＤヘッド１ｂのずれを補正する。
【０００６】
なお、図８において、第１のＬＥＤヘッド１ａ、第２のＬＥＤヘッド１ｂおよび第３のＬＥＤヘッド１ｃの各ＬＥＤが並ぶ方向を主走査方向とし、この主走査方向に垂直な方向を副走査方向とする。
【０００７】
ここで、図８のように複数のＬＥＤヘッドをつないで露光する際、上記画像データ処理による副走査方向の補正を行っても、第１のＬＥＤヘッド１ａと第３のＬＥＤヘッド１ｃとの取り付け誤差にある段差があるので、２箇所のつなぎ目を同時には合わせられないため、第１のＬＥＤヘッド１ａと第２のＬＥＤヘッド１ｂとのつなぎ目、第２のＬＥＤヘッド１ｂと第３のＬＥＤヘッド１ｃとのつなぎ目において画像のずれを生じさせてしまう。また、副走査方向のつなぎ目２箇所を画像データ処理だけで処理するならば、複数本の画像データを独立に遅延させなければならず、必要なメモリ量が増えてしまい、コストが高くなってしまう。
【０００８】
図９は、図８に示した３本のＬＥＤヘッドをつないで１本の直線を露光した際、現像された画像に生じたつなぎ目ずれの一例である。
【０００９】
図９（ａ）は、第１のＬＥＤヘッド１ａと第３のＬＥＤヘッド１ｃとが主走査方向に位置ずれすることで生じる画像のつなぎ目ずれの一例である。
【００１０】
図９（ａ）に示すように、第１のＬＥＤヘッド１ａと第３のＬＥＤヘッド１ｃとで露光した部分が主走査方向にずれているため、第１のＬＥＤヘッドと第２のＬＥＤヘッドとのつなぎ目２７および第２のＬＥＤヘッドと第３のＬＥＤヘッドとのつなぎ目２８で画像が途切れている。
【００１１】
図９（ｂ）は、第２のＬＥＤヘッド１ｂが副走査方向に位置ずれすることで生じる画像のつなぎ目ずれの一例である。
【００１２】
図９（ｂ）に示すように、第２のＬＥＤヘッド１ｂで露光した部分が副走査方向にずれているため、第１のＬＥＤヘッドと第２のＬＥＤヘッドとのつなぎ目２７および第２のＬＥＤヘッドと第３のＬＥＤヘッドとのつなぎ目２８で画像が途切れている。
【００１３】
図９（ｃ）は、第１のＬＥＤヘッド１ａと第３のＬＥＤヘッド１ｃとが副走査方向に位置ずれすることで生じる画像のつなぎ目ずれの一例である。
【００１４】
図９（ｃ）に示すように、第１のＬＥＤヘッド１ａと第３のＬＥＤヘッド１ｃとで露光した部分が副走査方向にずれているため、第１のＬＥＤヘッドと第２のＬＥＤヘッドとのつなぎ目２７および第２のＬＥＤヘッドと第３のＬＥＤヘッドとのつなぎ目２８で画像が途切れている。
【００１５】
また、図９（ａ）、（ｂ）、（ｃ）のようなＬＥＤヘッドの主走査方向および副走査方向の位置ずれを原因とするつなぎ目ずれ以外に、様々な原因のつなぎ目ずれが存在する。
【００１６】
そこで、このようなつなぎ目ずれを防止する技術が提案されている。例えば、特開平６−１０５０７１号では、熱膨張による主走査方向のつなぎ目ずれを防止するために、複数のＬＥＤヘッドを該ＬＥＤヘッドと同じ熱膨張係数を持つ部材に取り付ける方法が開示されている。
【００１７】
【発明が解決しようとする課題】
しかし、ＬＥＤヘッドと同じ熱膨張係数を持つ部材は均一に温度変化するものではないので、完全につなぎ目ずれを防止することはできない。また、つなぎ目ずれをシフトする等の画像データ処理を施す方法も考えられるが、通常ＬＥＤヘッドの画像データは４〜８ドット毎に処理するために、１ドット単位のシフトは処理が大掛かりになってしまう上に、主走査方向において１ドット未満のシフトは不可能である。
【００１８】
そこで、本発明は、不意の衝撃や特殊な使用環境温度での膨張収縮によってＬＥＤヘッドの位置がずれた場合でも、部品交換することなくつなぎ目ずれを調整することができる画像形成装置を提供することを目的とする。
【００１９】
【課題を解決するための手段】
上記目的を達成するため、請求項１の発明は、複数の露光装置を第１の列および第２の列と交互に配置することで広幅露光を行う画像形成装置において、前記第１の列に配置された露光装置の主走査方向の調整を行う第１の偏心ピンと、前記第１の列に配置された露光装置の副走査方向の移動を規制する第１のガイドピンと、前記第２の列に配置された露光装置の副走査方向の調整を行う第２の偏心ピンと、前記第２の列に配置された露光装置の主走査方向の移動を規制する第２のガイドピンとを具備することを特徴とする。
また、請求項２の発明は、請求項１の発明において、前記第２の列に配置された露光装置の前記主走査方向における両端部に前記第２の偏心ピンを設けることを特徴とする。
また、請求項３の発明は、請求項１の発明において、前記第２の列に配置された露光装置の前記主走査方向における一方の端部に前記第２の偏心ピンを設け、前記端部の反対側の端部を固定することを特徴とする。
【００２０】
【発明の実施の形態】
以下、本発明に係わる画像形成装置の実施の形態について添付図面を参照して詳細に説明する。
【００２１】
図１は、本発明に係わる画像形成装置による３本のＬＥＤヘッドの取付構造の概略図である。
【００２２】
図１に示すように、各ＬＥＤヘッドをそれぞれ第１のＬＥＤヘッド１ａ、第２のＬＥＤヘッド１ｂおよび第３のＬＥＤヘッド１ｃとし、この３本のＬＥＤヘッド１ａ、１ｂ、１ｃを図１に示すように配列することで、広幅な原稿に対応する感光体への露光を行う。
【００２３】
ここで、第２のＬＥＤヘッド１ｂは、第１のＬＥＤヘッド１ａおよび第３のＬＥＤヘッド１ｃから副走査方向にずれて配置され、このずれを考慮した画像データ処理によって、この各ＬＥＤヘッドによる画像のずれを補正する。
【００２４】
しかし、上記画像データ処理によっても上記ずれの完全な補正は困難であるこの実施の形態においては、第１のＬＥＤヘッド１ａおよび第３のＬＥＤヘッド１ｃに副走査方向の移動を規制して主走査方向の配列位置を調整する第１の調整機構を設け、第２のＬＥＤヘッド１ｂには、主走査方向の移動を規制して副走査方向の配列位置を調整する第２の調整機構を設ける。
【００２５】
図２は、第１のＬＥＤヘッド１ａおよび第３のＬＥＤヘッド１ｃに設けられた第１の調整機構の詳細を示す概略図である。
【００２６】
図２において、第１のＬＥＤヘッド１ａおよび第３のＬＥＤヘッド１ｃには、主走査方向の調整を行うための偏心ピン２およびこのＬＥＤヘッドの副走査方向の移動を規制する２個のガイドピン（５、７）が設けられていて、偏心ピン２はＬＥＤヘッドを取り付けるフレームに空いている偏心ピンガイド４にはめられていて、２個のガイドピン（５，７）はＬＥＤヘッドを取り付けるフレームに空いているガイド（６、８）にそれぞれはめられている。
【００２７】
ここで、図２に示すように、偏心ピン２は、その軸３が偏心ピン２の中心より若干ずれた位置に設けられ、偏心ピン２を図示矢印Ａの方向にまわすと、偏心ピン２の本体が偏心ピンガイド４の左側に接触し、ＬＥＤヘッドを図示矢印Ｃの主走査方向に移動させることができる。
【００２８】
また、偏心ピン２を図示矢印Ｂの方向にまわすと、偏心ピン２の本体が偏心ピンガイド４の右側に接触し、ＬＥＤヘッドを図示矢印Ｄの主走査方向に移動させることができる。
【００２９】
ここで、偏心ピン２をまわして第１のＬＥＤヘッド１ａおよび第３のＬＥＤヘッド１ｃの固定位置を主走査方向に調整する際に、ガイドピン（５、７）によりＬＥＤヘッドの副走査方向の移動が規制されているので、第１のＬＥＤヘッド１ａおよび第３のＬＥＤヘッド１ｃは副走査方向には移動しない。
【００３０】
図３は、第２のＬＥＤヘッド１ｂに設けられた第２の調整機構の詳細を示す概略図である。
【００３１】
図３において、第２のＬＥＤヘッド１ｂには、ＬＥＤヘッドの左端を副走査方向に調整するための偏心ピン９およびＬＥＤヘッドの右端を副走査方向に調整するための偏心ピン１２と、ＬＥＤヘッドの主走査方向への移動を規制するガイドピン１５が設けられていて、偏心ピン（９、１２）はＬＥＤヘッドを取り付けるフレームに空いている偏心ピンガイド（１１、１４）にそれぞれはめられていて、ガイドピン１５はＬＥＤヘッドを取り付けるフレームに空いているガイド１６にはめられている。
【００３２】
ここで、図３に示すように、偏心ピン９は、その軸１０が偏心ピン９の中心より若干ずれた位置に設けられているので、偏心ピン９を図示矢印Ｅの方向にまわすと、偏心ピン９の本体が偏心ピンガイド１１の上側に接触し、ＬＥＤヘッドの左端を図示矢印Ｇの副走査方向に移動させることができる。また、偏心ピン９を図示矢印Ｆの方向にまわすと、偏心ピン９の本体が偏心ピンガイド１１の下側に接触し、ＬＥＤヘッドの左端を図示矢印Ｈの副走査方向に移動させることができる。
【００３３】
また、偏心ピン１２は、その軸１３が偏心ピン１２の中心より若干ずれた位置に設けられているので、偏心ピン１２を図示矢印Ｉの方向にまわすと、偏心ピン１２の本体が偏心ピンガイド１４の上側に接触し、ＬＥＤヘッドの右端を図示矢印Ｋの副走査方向に移動させることができる。
【００３４】
また、偏心ピン１２を図示矢印Ｊの方向にまわすと、偏心ピン１２の本体が偏心ピンガイド１４の下側に接触し、ＬＥＤヘッドの右端を図示矢印Ｌの副走査方向に移動させることができる。
【００３５】
ここで、偏心ピン（９、１２）をまわして第２のＬＥＤヘッド１ｂの固定位置を副走査方向に調整する際に、ガイドピン１５は主走査方向の移動を規制しているため、第２のＬＥＤヘッド１ｂは主走査方向には移動しない。
【００３６】
図４は、画像のつなぎ目のずれを調整する具体例を示す図である。
【００３７】
図４（ａ）においては、本来、主走査方向に平行な１本の直線画像を形成したいところが、第１のＬＥＤヘッドと第２のＬＥＤヘッドとのつなぎ目１７に主走査方向および副走査方向の画像のずれが生じ、第２のＬＥＤヘッドと第３のＬＥＤヘッドとのつなぎ目１８に主走査方向および副走査方向の画像のずれが生じている。
【００３８】
ここで、第１のＬＥＤヘッド１ａを図示矢印Ｍの主走査方向に移動させ、第３のＬＥＤヘッド１ｃを図示矢印Ｎの主走査方向に移動させることにより、図４（ｂ）に示すように、第１のＬＥＤヘッド１ａと第２のＬＥＤヘッド１ｂとの主走査方向の画像のずれと、第２のＬＥＤヘッド１ｂと第３のＬＥＤヘッド１ｃとの主走査方向の画像のずれを調整することができる。
【００３９】
次に、第２のＬＥＤヘッド１ｂの左端を図示矢印Ｏの副走査方向に移動させ、第２のＬＥＤヘッド１ｂの右端を図示矢印Ｐの副走査方向に移動させることにより、図４（ｃ）に示すように、第１のＬＥＤヘッド１ａと第２のＬＥＤヘッド１ｂとの副走査方向の画像のずれと、第２のＬＥＤヘッド１ｂと第３のＬＥＤヘッド１ｃとの副走査方向の画像のずれを調整することができ、第１のＬＥＤヘッドと第２のＬＥＤヘッドとのつなぎ目１７および第２のＬＥＤヘッドと第３のＬＥＤヘッドとのつなぎ目１８における画像をつなぐことができる。
【００４０】
図５は、画像のつなぎ目のずれを調整する他の例を示す図である。
【００４１】
図５（ａ）に示すように、本来、主走査方向に平行な１本の直線画像を形成したいところが、第１のＬＥＤヘッドと第２のＬＥＤヘッドとのつなぎ目１９に副走査方向の画像のずれが生じ、第２のＬＥＤヘッドと第３のＬＥＤヘッドとのつなぎ目２０に副走査方向の画像のずれが生じている。
【００４２】
ここで、第２のＬＥＤヘッド１ｂの左端を図示矢印Ｑの副走査方向に移動させ、第２のＬＥＤヘッド１ｂの右端を図示矢印Ｒの副走査方向に移動させることにより、図５（ｂ）に示すように、第１のＬＥＤヘッド１ａと第２のＬＥＤヘッド１ｂとの副走査方向の画像のずれと、第２のＬＥＤヘッド１ｂと第３のＬＥＤヘッド１ｃとの副走査方向の画像のずれを調整することができ、第１のＬＥＤヘッドと第２のＬＥＤヘッドとのつなぎ目１９および第２のＬＥＤヘッドと第３のＬＥＤヘッドとつなぎ目２０における画像をつなぐことができる。このとき、厳密には直線画像にはならずに折れ曲がった線になるが、これは微小であるので問題視されない。
【００４３】
図６は、第２のＬＥＤヘッド１ｂに設けられた第２の調整機構の他の実施の形態の詳細を示す概略図である。
【００４４】
図６に示すように、第２のＬＥＤヘッド１ｂには、ＬＥＤヘッドの右端を副走査方向に調整するための偏心ピン２１が設けられ、ＬＥＤヘッドの左端は固定部２４によって固定されている。
【００４５】
ここで、図６に示すように、偏心ピン２１の軸２２は偏心ピン２１の中心より若干ずれた位置に設けられ、ＬＥＤヘッドの右端を副走査方向に固定位置を調整する場合、偏心ピン２２を図示矢印Ｓの方向にまわすと、偏心ピン２１の本体が偏心ピンガイド２３の上側に接触し、ＬＥＤヘッドの右端を図示矢印Ｕの副走査方向に移動させることができる。ただし、この実施の形態においては、ＬＥＤヘッドの左端は固定部２４によって固定されているため、偏心ピン２２を図示矢印Ｓの方向にまわすことで、ＬＥＤヘッドの右端が図示矢印Ｕの副走査方向に移動するのではなく、厳密に言うと、ＬＥＤヘッドの右端は固定部２４を中心にして図示矢印Ｕの副走査方向に回転することになる。
【００４６】
また、偏心ピン２１を図示矢印Ｔの方向にまわし、軸２２を中心に偏心ピン２１が回転すると、偏心ピン２１の本体が偏心ピンガイド２３の下側に接触し、ＬＥＤヘッドの右端を固定部２４を中心にして図示矢印Ｖの副走査方向に移動させることができる。
【００４７】
図７は、図６に示した第２の調整機構を用いて画像のつなぎ目のずれを調整する具体例を示す図である。
【００４８】
ここで、ＬＥＤヘッドの配置の都合上、第２のＬＥＤヘッド１ｂの画像は露光タイミングを他の２本と異ならせる必要がある。図７（ａ）は、予め露光タイミングを調整して第１のＬＥＤヘッドと第２のＬＥＤヘッドとのつなぎ目２５の副走査方向を合わせた状態である。従って、第１のＬＥＤヘッドと第２のＬＥＤヘッドとのつなぎ目２５に主走査方向の画像のずれが、第２のＬＥＤヘッドと第３のＬＥＤヘッドとのつなぎ目２６に主走査方向と副走査方向との画像ずれが生じている。
【００４９】
ここで、図２に示す調整手段によって、第１のＬＥＤヘッド１ａを図示矢印Ｗの主走査方向に移動させ、第３のＬＥＤヘッド１ｃを図示矢印Ｘの主走査方向に移動させることにより、図７（ｂ）に示すように、第１のＬＥＤヘッド１ａと第２のＬＥＤヘッド１ｂとの主走査方向の画像のずれと、第２のＬＥＤヘッド１ｂと第３のＬＥＤヘッド１ｃとの主走査方向の画像のずれを調整することができる。
【００５０】
次に、第２のＬＥＤヘッド１ｂの右端を図示矢印Ｙの副走査方向に移動させることにより、図７（ｃ）に示すように、第２のＬＥＤヘッド１ｂと第３のＬＥＤヘッド１ｃとの副走査方向の画像のずれを調整することができ、第１のＬＥＤヘッドと第２のＬＥＤヘッドとのつなぎ目２５および第２のＬＥＤヘッドと第３のＬＥＤヘッドとのつなぎ目２６における画像をつなぐことができる。
【００５１】
ここで、ＬＥＤヘッドには図示しないＬＥＤヘッド固定機構が設けられており、ＬＥＤヘッドの調整が終了した際に、このＬＥＤヘッド固定機構により各ＬＥＤヘッドを固定する。
【００５２】
また、図６に示した構成においては、固定部２４をＬＥＤヘッドの左端に設ける構成を説明してきたが、この固定部２４をＬＥＤヘッドの右端に設ける構成でも良い。
【００５３】
また、ＬＥＤヘッドを２本用いた露光装置の場合にも、副走査方向の調整は、露光タイミングの調整によるか、第２の調整手段によって調整可能である。
【００５４】
【発明の効果】
以上説明したように本発明によれば、不意の衝撃や特殊な使用環境温度での膨張収縮によってＬＥＤヘッドの位置がずれた場合でも、部品交換することなくつなぎ目ずれを調整することができる。
【図面の簡単な説明】
【図１】本発明に係わる画像形成装置による３本のＬＥＤヘッドの取付構造の概略図である。
【図２】第１のＬＥＤヘッド１ａおよび第３のＬＥＤヘッド１ｃに設けられた第１の調整機構の詳細を示す概略図である。
【図３】第２のＬＥＤヘッド１ｂに設けられた第２の調整機構の詳細を示す概略図である。
【図４】画像のつなぎ目のずれを調整する具体例を示す図である。
【図５】画像のつなぎ目のずれを調整する他の例を示す図である。
【図６】第２のＬＥＤヘッド１ｂに設けられた第２の調整機構の他の実施の形態の詳細を示す概略図である。
【図７】図６に示した第２の調整機構を用いて画像のつなぎ目のずれを調整する具体例を示す図である。
【図８】従来の３本のＡ３サイズ用ＬＥＤヘッドの取付構造の概略図である。
【図９】図８に示した３本のＬＥＤヘッドをつないで１本の直線を露光した際、現像された画像に生じたつなぎ目ずれの一例である。
【符号の説明】
１ａ    第１のＬＥＤヘッド
１ｂ    第２のＬＥＤヘッド
１ｃ    第３のＬＥＤヘッド
２、９、１２、２１    偏心ピン
３、１０、１３、２２    軸
４、１１、１４、２３    偏心ピンガイド
５、７、１５    ガイドピン
６、８、１６    ガイド
１７、１９、２５、２７    第１のＬＥＤヘッドと第２のＬＥＤヘッドとのつなぎ目
１８、２０、２６、２８    第２のＬＥＤヘッドと第３のＬＥＤヘッドとのつなぎ目
２４    固定部
【図１】
0004082037.tif 000002
【図２】
0004082037.tif 000003
【図３】
0004082037.tif 000004
【図４】
0004082037.tif 000005
【図５】
0004082037.tif 000006
【図６】
0004082037.tif 000007
【図７】
0004082037.tif 000008
【図８】
0004082037.tif 000009
【図９】
0004082037.tif 000010